(57)【要約】【課題】取り扱いが容易であり、構造的に安全かつ構造が簡素で製造コストを低減することができる飲料ディスペンサ洗浄器を提供する。【解決手段】長円形状の開口部１１１が上面に形成された円筒状の容器本体１１と、前記開口部を閉塞するための外周形状が長円形の蓋部材１２と、前記蓋部材の外周部上面に配置されたＯリングと、前記蓋部材を容器本体の内面に押圧するレバー部材１２４とを有する。前記蓋部材は、飲料ディスペンサに流体を供給するためのディスペンスヘッドを接続可能なものであり、前記開口部から前記容器本体内に挿入された前記蓋部材を前記レバー部材を操作することによって前記容器本体の内面に前記Ｏリングを介して押圧し、前記蓋部材と前記容器本体の間を封止するものである。【選択図】図３
2015129003.tif 000002
【特許請求の範囲】
【請求項１】
長円形状の開口部（１１１）が上面に形成された円筒状の容器本体（１１）と、
前記開口部（１１１）を閉塞するための外周形状が長円形の蓋部材（１２）と、
前記蓋部材（１２）の外周部上面に配置されたＯリング（１２２）と、
前記蓋部材（１２）を容器本体（１１）の内面に押圧するレバー部材（１２４）とを有し、
前記蓋部材（１２）は、飲料ディスペンサに流体を供給するためのディスペンスヘッドを接続可能なものであり、
前記開口部（１１１）から前記容器本体（１１）内に挿入された前記蓋部材（１２）を前記レバー部材（１２４）を操作することによって前記容器本体（１１）の内面に前記Ｏリング（１２２）を介して押圧し、前記蓋部材（１２）と前記容器本体（１１）の間を封止するものである飲料ディスペンサ洗浄器。
【請求項２】
請求項１に記載した飲料ディスペンサ洗浄器であって、
前記容器本体（１１）は、前記開口部（１１１）の短軸近傍の肩部がほぼ水平面の肩状段部（１１２）とされているものである飲料ディスペンサ洗浄器。
【請求項３】
請求項２項に記載した飲料ディスペンサ洗浄器であって、
前記レバー部材（１２４）の当接部（１２４ａ）が前記肩状段部（１１２）に当接して前記蓋部材（１２）を前記容器本体（１１）の内面に押圧するものである飲料ディスペンサ洗浄器。
【請求項４】
請求項１〜３のいずれか１項に記載した飲料ディスペンサ洗浄器であって、
前記容器本体（１１）内の圧力が所定の値以上となったときに、前記容器本体（１１）内の圧力ガスを外部に逃がす安全弁（１３）を有する飲料ディスペンサ洗浄器。
【発明の詳細な説明】
【技術分野】
【０００１】
この発明は、生ビール等の飲料をグラス等に注出し分配する飲料ディスペンサの内部の飲料通路を洗浄するための飲料ディスペンサ洗浄器に関し、さらに詳しくは、小さな力で組み立て作業を行うことができて取り扱いが容易であり、構造的に安全かつ構造が簡素で製造コストを低減することができる飲料ディスペンサ洗浄器に関するものである。
【背景技術】
【０００２】
ビール樽等の飲料容器に接続されて飲料をグラス等に注出し分配する飲料ディスペンサは次のようにして使用する。ビール樽等の飲料容器の口金には、容器栓（フィッティング）が取り付けられており、この容器栓にディスペンスヘッドが接続される。このディスペンスヘッドを介して生ビール等の飲料が収容された飲料容器内に二酸化炭素等の加圧ガスを供給し、飲料容器内の飲料を容器外に流出させる。
【０００３】
ディスペンスヘッドから流出した飲料は、飲料ディスペンサに供給され、飲料ディスペンサ内で冷却されてグラス等に注出される。このディスペンスヘッドおよび飲料ディスペンサ内の飲料通路の内部には飲料が残っており、そのまま放置しておくと飲料が変質、腐敗等して通路を汚染するおそれがある。したがって、飲料ディスペンサの使用後に内部の通路を洗浄する必要がある。
【０００４】
従来の飲料ディスペンサの洗浄器としては、下記の特許文献１のようなものが公知である。特許文献１には、容器本体の内部に洗浄液を貯留し、装着体にディスペンスヘッドを取り付けて、ガスボンベからの圧送ガスにより洗浄液を飲料ディスペンサの飲料通路内に圧送して洗浄するようにしたディスペンサ洗浄用容器が記載されている。このディスペンサ洗浄用容器には、安全装置として減圧機構が設けられており、容器本体内に異常な高圧ガスが供給された場合に、Ｏリングの一部が弾性変形して容器内部の高圧ガスを外部に排出する。
【先行技術文献】
【特許文献】
【０００５】
【特許文献１】特開２００６−２７６９１号公報
【発明の概要】
【発明が解決しようとする課題】
【０００６】
従来の飲料ディスペンサの洗浄器としては、特許文献１のような安全装置としての減圧機構などを備えていない洗浄器も多く使用されていた。洗浄器の内部圧力が異常に上昇した場合、異常な高圧ガスを外部に排出する安全装置を備えていないと、洗浄器の容器本体や蓋部が破損してしまうおそれがあった。容器本体と蓋部の接続部が破損すると、蓋部が容器本体から離脱して高速で射出され作業者を負傷させてしまうおそれもあった。
【０００７】
また、特許文献１のような安全装置を備えた洗浄器においても、洗浄器の内部圧力が異常に上昇した場合の高圧ガスの排出機能は十分であるとは言えず、依然として洗浄器の容器本体や装着体（蓋部）が破損してしまうおそれがあった。
【０００８】
また、特許文献１のような洗浄器では、容器本体と装着体（蓋部）とをねじによって結合するものであり、容器本体と装着体との密封状態を保つにはかなり強い力で装着体を回動させる必要があった。容器本体と装着体との結合状態が不十分であると、前述のように、装着体（蓋部）が容器本体から離脱してしまうおそれもあった。
【０００９】
そこで、本発明は、小さな力で組み立て作業を行うことができて取り扱いが容易であり、構造的に安全かつ構造が簡素で製造コストを低減することができる飲料ディスペンサ洗浄器を提供することを目的とする。
【課題を解決するための手段】
【００１０】
上記目的を達成するために、本発明の飲料ディスペンサ洗浄器は、長円形状の開口部が上面に形成された円筒状の容器本体と、前記開口部を閉塞するための外周形状が長円形の蓋部材と、前記蓋部材の外周部上面に配置されたＯリングと、前記蓋部材を容器本体の内面に押圧するレバー部材とを有する。前記蓋部材は、飲料ディスペンサに流体を供給するためのディスペンスヘッドを接続可能なものであり、前記開口部から前記容器本体内に挿入された前記蓋部材を前記レバー部材を操作することによって前記容器本体の内面に前記Ｏリングを介して押圧し、前記蓋部材と前記容器本体の間を封止するものである。
【００１１】
また、上記の飲料ディスペンサ洗浄器において、前記容器本体は、前記開口部の短軸近傍の肩部がほぼ水平面の肩状段部とされているものであることが好ましい。
【００１２】
また、上記の飲料ディスペンサ洗浄器において、前記レバー部材の当接部が前記肩状段部に当接して前記蓋部材を前記容器本体の内面に押圧するものであることが好ましい。
【００１３】
また、上記の飲料ディスペンサ洗浄器において、前記容器本体内の圧力が所定の値以上となったときに、前記容器本体内の圧力ガスを外部に逃がす安全弁を有することが好ましい。
【発明の効果】
【００１４】
本発明は、以上のように構成されているので、以下のような効果を奏する。
【００１５】
蓋部材が容器本体の内面に密着する構造であるから、容器本体内部の高圧ガスによって蓋部材が容器本体から離脱して飛び出すようなことがなく、飲料ディスペンサ洗浄器の安全性が大幅に向上する。また、蓋部材の取り付け封止をレバー部材を倒すという簡単な操作で容易に行うことができ、封止の作業に必要な力も小さくて済むため、飲料ディスペンサ洗浄器の取り扱いが容易である。さらに、飲料ディスペンサ洗浄器の構造が簡素で製造コストを低減することができる。
【図面の簡単な説明】
【００１６】
【図１】図１は、本発明の飲料ディスペンサ洗浄器１の使用状態を示す図である。
【図２】図２は、飲料ディスペンサ洗浄器１の構成を示す断面図である。
【図３】図３は、飲料ディスペンサ洗浄器１を上方から見た平面図である。
【図４】図４は、飲料ディスペンサ洗浄器１の他の方向からの断面図である。
【図５】図５は、蓋部材１２の構成を示す平面図である。
【発明を実施するための形態】
【００１７】
本発明の実施の形態について図面を参照して説明する。図１は、本発明の飲料ディスペンサ洗浄器１による飲料ディスペンサ４の洗浄作業の状態を示す図である。飲料ディスペンサ４は、ビール樽等の飲料容器に接続されて生ビール等の飲料をグラス等に注出し分配する装置である。飲料ディスペンサ４に供給された飲料は、飲料ディスペンサ４内で冷却されて注出コック４２からグラス等に注出される。飲料ディスペンサ４は毎日使用後に洗浄作業を行う必要がある。
【００１８】
洗浄作業を行うには、ビール樽等の口金に接続されていたディスペンスヘッド２を取り外して、飲料ディスペンサ洗浄器１に接続する。ディスペンスヘッド２の上端部の流出口２１には飲料ホース４１の一端が接続されており、飲料ホース４１の他端は飲料ディスペンサ４に接続されている。また、ガス供給口２２にはガス供給ホース３２の一端が接続されており、ガス供給ホース３２の他端はボンベ３に接続されている。ボンベ３内には液化された高圧の二酸化炭素が貯蔵されている。ボンベ３内で気化した二酸化炭素ガスは、減圧弁３１によって減圧され、ガス供給ホース３２を介してディスペンスヘッド２に供給される。
【００１９】
飲料ディスペンサ４を使用して生ビールを注出する際には、ディスペンスヘッド２はビール樽の口金に接続されており、また、ディスペンスヘッド２には飲料ホース４１およびガス供給ホース３２が接続されている。洗浄作業を行う際には、ディスペンスヘッド２をビール樽の口金から取り外し、図示のように飲料ディスペンサ洗浄器１に取り付ける。飲料ホース４１およびガス供給ホース３２はディスペンスヘッド２に接続したままでよい。
【００２０】
飲料ディスペンサ洗浄器１は、概略、容器本体１１と蓋部材１２とからなっている。容器本体１１は、上部が開口部１１１とされた有底の容器であり、容器本体１１内には洗浄液が収容されている。蓋部材１２は、容器本体１１の開口部１１１を内面側から密封するように容器本体１１に取り付けられている。蓋部材１２の上方には接続部１２５が設けられており、この接続部１２５にディスペンスヘッド２を取り付けることができる。また、蓋部材１２にはレバー部材１２４が回動可能に設けられており、このレバー部材１２４を回動させて蓋部材１２を容器本体１１に固定する。なお、蓋部材１２の取り付け方法については後に詳しく説明する。
【００２１】
飲料ディスペンサ洗浄器１にディスペンスヘッド２を接続したら、洗浄作業を開始する。まず、飲料ディスペンサ４の注出コック４２を開状態として固定しておく。そして、ボンベ３から供給する加圧ガス（二酸化炭素ガス）の圧力を減圧弁３１によって所定値に調整し、ディスペンスヘッド２のハンドル２３を操作して加圧ガスを容器本体１１内に供給する。容器本体１１内の洗浄液は加圧ガスによって加圧され、ディスペンスヘッド２の流出口２１から飲料ホース４１を介して飲料ディスペンサ４に供給される。このようにして飲料ディスペンサ４の洗浄作業が行われる。
【００２２】
飲料ディスペンサ４の洗浄作業の際に、作業手順で定められた加圧ガスの設定圧力を遵守すれば問題はないが、洗浄作業の作業時間を短縮するために作業者が設定圧力を高めに設定してしまうようなことも起こりうる。このような規定値よりも高圧の加圧ガスによって長時間の洗浄作業を行うと、大量の加圧ガスが減圧弁３１を通過するため、減圧弁３１が凍結して本来の機能を失ってしまう。そして、高圧の加圧ガスが液化した状態でガス供給ホース３２に送られ、その液化加圧ガスが容器本体１１で急激に気化して異常な高圧を発生させることになる。
【００２３】
従来の洗浄器ではこのような異常な高圧に耐えられず、蓋部材が洗浄器本体から離脱して飛び出すおそれがあり、また蓋部材等の射出物により作業者が負傷してしまうおそれがあった。このような問題点を解決するために、本発明の飲料ディスペンサ洗浄器１は、容器本体１１に過大な圧力の高圧ガスが供給された場合でも、蓋部材が容器本体から離脱するおそれがなく、また、構造が簡素で製造コストを低減することができるものである。
【００２４】
次に、飲料ディスペンサ洗浄器１の各部の構成を詳しく説明する。図２は飲料ディスペンサ洗浄器１の構成を示す断面図であり、図３は飲料ディスペンサ洗浄器１を上方から見た平面図である。また、図４は飲料ディスペンサ洗浄器１の構成を示す他の方向からの断面図である。すなわち、図３におけるＡ−Ａ矢視断面を示すのが図２であり、図３におけるＢ−Ｂ矢視断面を示すのが図４である。なお、図４では飲料ディスペンサ洗浄器１の下部を省略している。
【００２５】
容器本体１１はステンレス鋼の薄板から成形されたほぼ円筒状の有底の容器である。容器本体１１の上部には開口部１１１が形成されている。開口部１１１は上方から見た形状が円形ではなく、図３に示すような長円形である。図２は、開口部１１１の長円形の長軸に平行な断面を示す断面図（Ａ−Ａ矢視断面図）である。また、図４は、開口部１１１の長円形の短軸に平行な断面を示す断面図（Ｂ−Ｂ矢視断面図）である。
【００２６】
図５は、蓋部材１２のみの構成を示す平面図である。蓋部材１２もステンレス鋼の板材から成形されている。蓋部材１２の外周形状も図示のように長円形である。図２および図４に示すように、蓋部材１２の周縁部１２１の長円形形状は、長軸および短軸の長さが開口部１１１の長軸および短軸の長さよりも大きくされている。いったん蓋部材１２を図示のような正規位置に配置すれば、蓋部材１２が容器本体１１から飛び出すようなことはない。また、蓋部材１２の周縁部１２１は上面にＯリング１２２を配置できる形状とされている。
【００２７】
蓋部材１２を容器本体１１の内側の正規位置に挿入する場合は、まず蓋部材１２のレバー部材１２４を起立状態にして、周縁部１２１の上にＯリング１２２を配置し、蓋部材１２を傾斜させて開口部１１１から容器本体１１の内部に挿入する。それから蓋部材１２を開口部１１１の形状と適合する正規位置に配置して、レバー部材１２４を図２に示すような水平状態に倒す。
【００２８】
すると、レバー部材１２４の当接部１２４ａが容器本体１１の肩状段部１１２に当接して蓋部材１２を上方に引き上げる。これにより、蓋部材１２は容器本体１１の内面にＯリング１２２を介して押圧され、蓋部材１２と容器本体１１との間は封止状態となる。なお、図５はレバー部材１２４が起立状態となった状態を示している。図２から図４はレバー部材１２４が水平状態となった状態を示している。
【００２９】
このように、蓋部材１２および開口部１１１の形状が長円形であるから、開口部１１１よりも外周寸法の大きな蓋部材１２でも傾斜させることによって容器本体１１の内部に挿入することができる。また、正規位置に配置された蓋部材１２は、開口部１１１よりも外周寸法が大きいため、容器本体１１に過大な圧力の高圧ガスが供給された場合でも、蓋部材１２が容器本体から離脱することがない。
【００３０】
飲料ディスペンサ洗浄器１および蓋部材１２の構成についてさらに説明する。蓋部材１２の上面には、ディスペンスヘッド２を接続可能な接続部１２５が一体に設けられている。なお、蓋部材１２と接続部１２５は溶接によって気密状態となるように接着され一体化されている。接続部１２５の内面上部には内方に突出する係合突起１２６が形成されており、ディスペンスヘッド２はこの係合突起１２６によって接続部１２５に係止される。接続部１２５の下方は順次直径が小さくなっており、最も下部はホース接続部１２８とされている。ホース接続部１２８には洗浄液ホース１４が接続される。
【００３１】
また、接続部１２５の水平面部には貫通孔１２７が形成されている。貫通孔１２７はディスペンスヘッド２からの加圧ガスを容器本体１１内に供給するためのものである。ここでは貫通孔１２７が円周上に均等に４個形成されているが、貫通孔１２７は任意の個数でよく、例えば６個や８個とすることもできる。実用上では、貫通孔１２７の数は４〜８個が好ましい。
【００３２】
蓋部材１２には安全弁１３が設けられている。安全弁１３は、容器本体１１の内部の圧力が高くなると突出して内部が加圧状態であることを表示する機能と、内部の圧力が所定の安全上限値を超えると内部の圧力ガスを外部に逃がす機能とを有している。内部の圧力が所定の安全上限値を超えた場合には、内部の圧力ガスは安全弁１３を介して外部に放出される。
【００３３】
蓋部材１２には、２個の起立部１２３が一体に形成されている。起立部１２３に形成された貫通孔にレバー部材１２４が回動可能に支持されている。レバー部材１２４は起立状態（図５に示す状態）と水平状態（図２から図４に示す状態）との間で回動させることができる。レバー部材１２４を起立状態とすれば、蓋部材１２を傾斜させて開口部１１１から容器本体１１の内部に挿入することができる。蓋部材１２を容器本体１１の内面正規位置に配置したらレバー部材１２４を水平状態に倒して蓋部材１２を容器本体１１の間を封止状態とする。
【００３４】
なお、容器本体１１の開口部１１１の短軸近傍の肩部はほぼ水平面の肩状段部１１２とされている。この肩状段部１１２にレバー部材１２４の当接部１２４ａが当接する。レバー部材１２４を水平状態に倒すと、当接部１２４ａが肩状段部１１２に当接して、蓋部材１２を上方に引き上げる。この引き上げ力によって、蓋部材１２とＯリング１２２が容器本体１１の内面に押圧され、蓋部材１２と容器本体１１との間が封止状態となる。
【００３５】
以上のように、本発明の飲料ディスペンサ洗浄器によれば、蓋部材１２の取り付け封止をレバー部材１２４を倒すという簡単な操作で容易に行うことができ、封止の作業に必要な力も小さくて済む。また、蓋部材１２と容器本体１１の構造から、過大な圧力の高圧ガスが供給された場合でも蓋部材１２が容器本体１１から離脱して飛び出すようなことがなく、飲料ディスペンサ洗浄器の安全性が大幅に向上する。さらに、飲料ディスペンサ洗浄器の構造が簡素で製造コストを低減することができる。
【産業上の利用可能性】
【００３６】
本発明によれば、取り扱いが容易で、安全性の高い飲料ディスペンサ洗浄器を提供することができる。また、飲料ディスペンサ洗浄器の構造が簡素となり製造コストを低減することができる。
【符号の説明】
【００３７】
１  飲料ディスペンサ洗浄器
２  ディスペンスヘッド
３  ボンベ
４  飲料ディスペンサ
１１  容器本体
１２  蓋部材
１３  安全弁
１４  洗浄液ホース
２１  流出口
２２  ガス供給口
２３  ハンドル
３１  減圧弁
３２  ガス供給ホース
４１  飲料ホース
４２  注出コック
１１１  開口部
１１２  肩状段部
１２１  周縁部
１２２  Ｏリング
１２３  起立部
１２４  レバー部材
１２５  接続部
１２６  係合突起
１２７  貫通孔
１２８  ホース接続部
１２４ａ  当接部
【図１】
2015129003.tif 000003
【図２】
2015129003.tif 000004
【図３】
2015129003.tif 000005
【図４】
2015129003.tif 000006
【図５】
2015129003.tif 000007